(57)【要約】      （修正有）【課題】ギア等のバックラッシュや部品等のガタによるハンドルのシャッター開閉操作におけるストロークの過不足によるシャッター開閉操作における不都合を解消することができる現像剤補給容器を提供すること。【解決手段】ハンドル１８の回転駆動力を、画像形成装置本体が有する駆動部材を介してシャッター１９に駆動を伝達し、補給口１７を開閉する現像剤補給容器２において、現像剤容器を画像形成装置本体に装着の際にハンドルを予めシャッターの開操作方向に所定量回動させた位置で固定、装着することで、ハンドルのシャッター開操作に必要な回動量よりもシャッターの閉操作での回動量を多くなるように構成し、現像剤容器の取り出し動作に伴ってハンドルに設けられた弾性部材を現像剤収容部１６の突起にて弾性変形させ、弾性部材の形状復帰力Ｆによって、ハンドルを前記シャッターの閉位置から装着位置へ開動作回転方向に所定量戻すようにする。【選択図】図３
2007033783.tif 000002
【特許請求の範囲】
【請求項１】
画像形成装置本体に回転不可に装着され、現像剤を補給する現像剤補給容器において、
前記現像剤を収容する現像剤収容部と、
前記現像剤収容部内の現像剤を排出可能な排出口と、
前記排出口の開閉方向にスライド自在な前記現像剤収容部に取り付けられたシャッターであって、前記画像形成装置本体に設けられた本体シャッターと係合して一体で移動可能に設けられたシャッターと、
前記収容部に回転可能に取り付けられた、前記画像形成装置本体の第１の駆動伝達ギアと係合可能な駆動伝達ギア部とを備えたハンドルとを有し、
前記シャッターには前記第１の駆動伝達ギアと共に回転する画像形成装置本体の第２の駆動伝達ギアと係合可能な駆動受けギア部が備えられており、
前記ハンドルを回転させることによって回転駆動力を、前記駆動伝達ギア部、前記第１の駆動伝達ギア、前記第２の駆動伝達ギアを介して前記駆動受けギア部に伝達することで前記シャッターを開閉し、前記現像剤を前記画像形成装置に補給可能な現像剤補給容器であって、
前記現像剤容器非装着時には、前記ハンドルは前記現像剤容器によって、予め閉位置よりもシャッターの開操作回転方向に所定量回動させた位置に固定された状態で装着され、シャッターの開操作回動量よりも閉操作回動量の方が多くなるように構成されており、
現像剤収容部に設けられた突き当て突起とハンドルに設けられた弾性変形部が係合し弾性変形し、前記弾性部材の形状復帰力Ｆによって、前記現像剤容器の取り出し動作に伴って、前記ハンドルが前記シャッターの閉位置より前記装着位置に戻ることを特徴とする現像剤補給容器。
【請求項２】
前記ハンドルに作用する形状復帰力Ｆは、前記現像剤補給容器を画像形成装置本体に装着時に、前記シャッターを開閉動作するための前記ハンドルの操作力Ｎよりも十分に弱く、且つ、確実に前記ハンドルを装着位置まで戻すのに十分な大きさ、即ち（ハンドル戻しに必要な力）≦Ｆ＜＜＜Ｎの関係が成り立つことを特徴とする請求項１記載の現像剤補給容器。
【請求項３】
前記駆動伝達部が各々係合していない状態において、前記ハンドルが装着位置からシャッターの閉位置の位置にある時は、常に前記形状復帰力Ｆによって装着位置に戻されることを特徴とする請求項１記載の現像剤補給容器。
【発明の詳細な説明】
【技術分野】
【０００１】
本発明は、電子写真方式を用いて画像を形成する、例えば、電子写真複写機、電子写真プリンタ（例えば、レーザ―ビームプリンタ、ＬＥＤプリンタ等）、ファクシミリ装置、ワードプロセッサ等に着脱可能に設けられた現像剤を補給する現像剤補給容器に関するものである。
【背景技術】
【０００２】
電子写真複写機やレーザービームプリンタ等の電子写真画像形成装置は、一様に帯電させた感光体ドラムに選択的な露光を行う。そして静電潜像を形成する。次に、その静電潜像を現像剤で現像して像を形成する。その後、該像を記録媒体に転写して画像記録を行う。
【０００３】
このような装置にあっては、現像剤が無くなる度に現像剤を補給しなければならない。ここで、画像形成装置に現像剤を補給するための現像剤容器は、収納した現像剤を画像形成装置本体の現像剤受け入れ容器に一度に全量補給する所謂補給型容器と、画像形成装置本体に容器を装着後、そのまま該容器を据え置く、所謂据え置き型容器とに大別される。ここで、据え置き型容器は現像剤を使い切るまで徐々に現像装置に現像剤を補給する。
【０００４】
近年、現像剤容器は据え置き型が使用される傾向にある。前記据え置き型容器においては、徐々に現像装置に現像剤を補給させるため、前記容器内に撹拌部材を設け、画像形成装置本体側の駆動を受け、前記撹拌部材を回転させることで、現像剤を現像装置に補給する構成がある。
【０００５】
又、別の構成としては前記現像剤容器内部に直線状又は螺旋状の突起を一体的に設け、画像形成装置本体側の駆動を受け、前記現像剤容器自体を回転させることで現像剤を現像装置へ補給する構成がある。これらの現像剤容器には現像剤を画像形成装置本体に補給するための補給口が設けられており、更に現像剤容器を交換する際に、容器内に残留する現像剤が補給口から飛散するのを防止するために、該補給口を封止するための開閉部材（以下、シャッター）を設けている。
【０００６】
ここで、前記シャッターを開閉する方法の一例として、現像剤容器の容器本体に回転部材（以下、ハンドル）を回転自在に嵌合し、前記現像剤容器を画像形成装置に装着し、前記ハンドルをオペレーターが回転させると、前記ハンドルの回転駆動力が画像形成装置本体の駆動伝達部材（駆動伝達ギア）を介して前記シャッターに駆動伝達させ、前記シャッターを前記補給口の開閉方向にスライド自在に開閉させる方法が提案されている。又、ここで示した駆動の伝達は全てギアを用いている（特許文献１，２参照）。
【０００７】
上記駆動力伝達経路において、高精度部品を用いずコストを掛けないで構成しようとした際に、ギア等のバックラッシュやその他の部位に駆動系のガタ及び歪みが生じてしまうことは避け難い。従って、ハンドルの入力ストロークに対する出力ストロークが１：１に対応せず、シャッターを開いてから再び閉じても、シャッターが元に戻らないことがある。このうような状態の現像剤容器を装置本体から抜き出し、そのまま再び装着してシャッターの開閉操作を行うと、シャッターが元に戻らない分が蓄積していき、戻らない量が増大していく。
【０００８】
又、前記画像形成装置本体に備えられた本体シャッターとシャッターとを一体的に係合させる構成においては、このようなシャッターの位置ズレによって、現像剤容器が画像形成装置本体から抜け出せなくなったり、本体シャッターの位置ズレのために新品の現像剤容器が装着できなくなったりする課題が生じる。
【０００９】
これらの課題を解決する手段として、前記した画像形成装置本体に対して回転不可に装着された現像剤補給容器において、画像形成装置本体への装着動作に伴って画像形成装置から前記ハンドルに前記シャッターの開方向へ所定量予回転させるための力を受ける回動力受け部を設け、前記ハンドルの回動量が、前記シャッターの開動作させるときよりも、閉動作させるときの方が多くなるようにし、前記した課題であるギア等のバックラッシュや駆動系のガタによるシャッターの位置ズレを防ぐ構成が提案されている（特許文献３参照）。
【００１０】
ここで、特許文献３に提案された発明について図１７を用いて説明する。
【００１１】
図１７（ａ）は現像剤容器装着前、図１７（ｂ）は現像剤容器装着動作中、図１７（ｃ）はシャッター開における現像剤容器の様子である。
【００１２】
ハンドル１０５には装着動作に伴って画像形成装置の容器装着部１０７に設けられた中央が山となったカム状の突起１０２と係合する突起部１０１が設けられている。又、ハンドル１０５は、現像剤容器にシャッターの開閉操作回転方向（ａ１，ａ２）に回転自在に取り付けられている。現像剤容器の装着動作に伴ってハンドル１０５に設けられた突起部１０１がカム状突起１０２のテーパ面に沿りながら装着されるため、ハンドル１０５は、図１７（ｂ）に示すように、予めシャッター開操作回転方向ａ１に回動させた位置で必ず装着される。
【００１３】
又、この時ハンドル１０５の駆動伝達部１０４と本体側の第１の駆動伝達ギア１０３は完全に噛み合っていないため、ハンドル１０５の駆動力がシャッターに伝わることはなく、シャッターは開閉しない。続いて、現像剤容器を装着方向Ｚへ更に挿入すると、前記駆動伝達部１０４と前記第１の駆動伝達ギアが噛み合い、ハンドルの回転駆動力をシャッターに伝達する。
【００１４】
そして、図１７（ｂ）の位置から図１７（ｃ）の位置にハンドル１０５をシャッターの開操作回転方向に回転させることによりシャッターが開封され、現像剤の補給が可能となる。次に、現像剤容器交換の際には、シャッター閉操作回転方向ａ２にハンドルを図１７（ｃ）の位置から図１７（ａ）の位置まで回転させ、シャッターを閉じ、現像剤容器を取り出し可能となる。つまり、前記したように予めハンドル１０５をシャッターの開操作方向ａ１に回動させた位置で装着するように構成したことで、シャッターの開操作に必要なハンドル１０５の回動量よりも、シャッターの閉操作の回動量を多くすることが達成でき、その差分でギア等のバックラッシュや部品等のガタによって生じた前記ハンドル１０５の入力ストロークに対する出力ストロークの回動量の不足分を補い、前記したシャッターが閉まり切らない等の不都合を解決できる。
【特許文献１】特開２０００−２７５９４４号公報
【特許文献２】特開２００４−１０１７８９号公報
【特許文献３】特許第３４５０７４１号公報
【発明の開示】
【発明が解決しようとする課題】
【００１５】
しかしながら、前記従来例においては以下にような問題点が考えられる。
【００１６】
即ち、前記した構成を確実に実施するためには、前記ハンドルに回動力受け部を設ける他に、画像形成装置本体に該回動力受け部に対する部品ないし機構を設ける必要があり、本体側に部品や機構を設けるための余計なスペースが必要となる。
【００１７】
画像形成装置本体の更なるコンパクト化が求められる今日では、そのようなスペースを本体側に設けることがより困難になることが容易に想像され、無理に本体側に前記部材や機構を設けようとすると前記発明の十分な効果が得られない、オペレーターが現像剤補給容器を交換する際の操作力の増加を引き起こすといった不都合が生じることが懸念される。
【００１８】
従って、本発明の第１の目的は、ハンドルの回動量を開動作のときよりも閉動作のときを多くすることで、ギア等のバックラッシュやガタ等によってシャッターが閉まり切らないことを無くし、トナー洩れ等によるトナー汚染によるユーザビリティの低下を防ぐことができる現像剤補給容器を提供することにある。
【００１９】
又、本発明の第２の目的は、第１の目的を満足させる機構を現像剤補給容器内部に設けることで、画像形成装置本体に余計なスペースを設ける必要をなくし、画像形成装置本体のコンパクト化に寄与することができる現像剤補給容器を提供することにある。
【課題を解決するための手段】
【００２０】
上記目的を達成するため、請求項１記載の発明は、画像形成装置本体に回転不可に装着され、現像剤を補給する現像剤補給容器において、
前記現像剤を収容する現像剤収容部と、
前記現像剤収容部内の現像剤を排出可能な排出口と、
前記排出口の開閉方向にスライド自在な前記現像剤収容部に取り付けられたシャッターであって、前記画像形成装置本体に設けられた本体シャッターと係合して一体で移動可能に設けられたシャッターと、
前記収容部に回転可能に取り付けられた、前記画像形成装置本体の第１の駆動伝達ギアと係合可能な駆動伝達ギア部とを備えたハンドルとを有し、
前記シャッターには前記第１の駆動伝達ギアと共に回転する画像形成装置本体の第２の駆動伝達ギアと係合可能な駆動受けギア部が備えられており、
前記ハンドルを回転させることによって回転駆動力を、前記駆動伝達ギア部、前記第１の駆動伝達ギア、前記第２の駆動伝達ギアを介して前記駆動受けギア部に伝達することで前記シャッターを開閉し、前記現像剤を前記画像形成装置に補給可能な現像剤補給容器であって、
前記現像剤容器非装着時には、前記ハンドルは前記現像剤容器によって、予め閉位置よりもシャッターの開操作回転方向に所定量回動させた位置に固定された状態で装着され、シャッターの開操作回動量よりも閉操作回動量の方が多くなるように構成されており、
現像剤収容部に設けられた突き当て突起とハンドルに設けられた弾性変形部が係合し弾性変形し、前記弾性部材の形状復帰力Ｆによって、前記現像剤容器の取り出し動作に伴って、前記ハンドルが前記シャッターの閉位置より前記装着位置に戻ることを特徴とする。
【００２１】
請求項２記載の発明は、請求項１記載の発明において、前記ハンドルに作用する形状復帰力Ｆは、前記現像剤補給容器を画像形成装置本体に装着時に、前記シャッターを開閉動作するための前記ハンドルの操作力Ｎよりも十分に弱く、且つ、確実に前記ハンドルを装着位置まで戻すのに十分な大きさ、即ち（ハンドル戻しに必要な力）≦Ｆ＜＜＜Ｎの関係が成り立つことを特徴とする。
【００２２】
請求項３記載の発明は、請求項１記載の発明において、前記駆動伝達部が各々係合していない状態において、前記ハンドルが装着位置からシャッターの閉位置の位置にある時は、常に前記形状復帰力Ｆによって装着位置に戻されることを特徴とする。
【発明の効果】
【００２３】
本発明によれば、ハンドルをシャッターの開動作方向に回動させ、現像剤容器の装着位置へ戻す機構を設けることで、ハンドルのシャッター開閉操作時の回動量を、開操作時回動量よりも閉操作時回動量の方が多くすることができ、シャッターを完全に閉じることができる。
【００２４】
又、前記機構を現像剤補給容器内部に設けることで、画像形成装置本体のコンパクト化に寄与できる。又、前記したハンドルに作用する形状復帰力の大きさを制御することで、オペレーターがシャッターの閉じ方が不完全な状態で現像剤補給容器を取り出した際の現像剤収容部の残存トナー洩れによるトナー汚染を未然に防ぐことができる。
【発明を実施するための最良の形態】
【００２５】
以下、本発明を画像形成装置である電子写真複写機に用いられる現像剤容器及び該現像剤容器を装着する現像剤補給装置の関係について説明する。
［画像形成装置］
以下、図面を参照して本発明の実施の形態１について詳細に説明する。
【００２６】
先ず、図１を用いて画像形成装置の概略を説明する。
【００２７】
リーダ部において読取られた画像情報は、レーザー出力部にて各色毎（各色ステーション毎）に光信号（レーザー光）に変換されてポリゴンミラーで反射され、レンズ及び折り返しミラーを経て感光ドラム１の面に露光される。
【００２８】
感光ドラム１の周りには、帯電器、現像ロータリー４内に構成された各々の現像器（５ａ，５ｂ，５ｃ，５ｄ）、クリーニング装置が配置され、感光ドラム１上の露光は、現像ロータリー４を回転させて現像器をその都度切り替える行程を必要色の分繰り返すことで各色現像し、その都度中間転写ベルト６上に転写し、必要色を中間転写ベルト６上に画像を重ね合わせた後、用紙への転写部８に搬送される。
【００２９】
用紙は、カセット１０ａ，１０ｂ，１０ｃ，１０ｄ或はマルチ手差し１１より繰り出し、搬送され、レジストローラ７で斜行補正及びタイミング取りを行った後、画像転写部８に向けて搬送される．
画像転写部を抜けた用紙は、定着部９にて現像剤を熱定着し、排出或は両面画像形成行程に向かう。
【００３０】
ここで、現像器内５の現像剤は、ホッパー３内に収められた現像剤容器２ａ，２ｂ，２ｃ，２ｄよりそれぞれの必要量だけ、現像ロータリー４にて現像位置に回転してきた現像器５に補給される。
【００３１】
このとき、現像ロータリー、つまり回転式現像構成であることから、現像位置（或は何処か特定の１位置）の姿勢でしか現像剤を受け取ることができない構成であるため、現像器及び現像ロータリーへの現像剤の受け渡しは、図２で示されるような現像ロータリー手前側に色数の分、奥・手前方向に区切られ固定された現像剤供給部１５を介して現像器に送られる構成となっている。
【００３２】
次に、現像剤補給容器２（以下、現像剤容器）から現像剤供給部15までの現像剤補給の概略について図２（ａ）を用いて説明する。図２（ａ）はホッパー３と現像剤供給部１５の正面図である。
【００３３】
ホッパー３は、現像剤供給部１５の上方且つ画像形成装置の手前側に設けられており、現像剤容器２、現像剤補給部１３、補給パイプ１４から構成されている。
【００３４】
現像剤容器（２ａ〜２ｄ）内に入っている現像剤は、現像剤補給部（１３ａ〜１３ｄ）へと現像剤を搬送する。
【００３５】
現像剤補給部（１３ａ〜１３ｄ）は、一定量の現像剤を蓄えており、画像形成装置から現像剤補給信号を受け取った際に、上記現像位置に現像ロータリー４が停止している間、所定量だけ現像剤補給部１３内の補給口から補給パイプ１４へと現像剤を排出する。
【００３６】
補給パイプ１４は、現像剤補給部１３と同一駆動により駆動されており、上記現像剤補給部１３から現像剤を受け取ると共に、現像剤供給部１５へと現像剤を排出する。
【００３７】
現像剤供給部１５は、現像ロータリー４の手前側に設けられ、図２（ｂ）に示すように、奥・手前方向に区切られた４つの補給口（１２ａ〜１２ｄ）を有しており、各補給口は現像ロータリー４内に設けられたぞれぞれの現像器５に連通している。
【００３８】
本実施の形態において、補給口１２は画像形成装置奥側から順に、イエロー１２ａ、マゼンタ１２ｂ、シアン１２ｃ、ブラック１２ｄという配置になっている。
【００３９】
又、現像器５は回転現像方式であることから、現像位置（或は何処か特定の１位置）の姿勢でしか現像剤を受け取ることができない。そのため、上記補給動作は、各色ごとに現像ロータリー４が回転して順次動作を繰り返していく。
［現像剤補給装置及び現像剤容器］
次に、本発明における現像剤容器及び現像剤補給装置の実施の形態の詳細について説明する。
［容器構成概要］
本発明における現像剤容器２の概略について図３に示す。
【００４０】
現像剤容器２は、内部に不図示の現像剤が充填された現像剤収容部１６と、前記現像剤収容部１６から現像剤を本体へ補給するための補給口１７が設けられている。又、前記補給口１７へ現像剤を搬送する不図示の現像剤搬送手段又は現像剤搬送部材を有し、前記現像剤収容部１６に回転可能に嵌合されたハンドル１８と、前記補給口１７を開閉方向にスライド自在なシャッター１９から成る。
［現像剤収容部］
次に、図４に現像剤収容部１６の詳細を示す。
【００４１】
現像剤収容部１６は、ハンドル１８の嵌合部２０が設けられており、前記嵌合部２０にはハンドル１８の回動量を規制する回動量規制部２１が設けられている。又、前記補給口近傍の湾曲部にはシャッター１９の補給口開閉方向のスライドをガイドするためのガイドレール２２が設けられている。更に、前記現像剤容器２が前記画像形成装置に非装着時にハンドル１８を回転不可に保持する回転規制突起２５ａ，２５ｂを有している。
［ハンドル］
続いて、図５に前記ハンドル１８の詳細を示す。
【００４２】
ハンドル１８は、オペレーターが回転力を加える操作ノブ２６と、前記現像剤収容部に設けられた前記回転止め部２５ａ，２５ｂと係合可能なロックアーム３４に設けられた係合部２７ａ，２７ｂを、又、本体側現像剤容器装着部２８（以下、容器装着部）に設けられた第１の駆動伝達ギア２９ａに、前記回転力を伝達するセグメント形状の駆動伝達ギア部３０を有している。又、前記現像剤収容部１６に設けられた回動量規制部２１に係合可能な突き当てリブ３１を有している。
［シャッター］
次に、図６に前記シャッターの詳細を示す。
【００４３】
シャッター１９は、現像剤収容部１６のシャッター取り付け面と同様の湾曲した形状をしており、図１０に示す容器装着部２８に設けられた第２の駆動伝達ギア２９ｂから駆動を受ける駆動受けギア部３２が設けられている。又、シャッター１９を補給口１７の開閉方向にスライドさせるために必要なガイドリブ３３と、前記現像剤補給容器が画像形成装置本体に非装着時に前記補給口の開閉方向スライド不可とし、装着時には不図示の本体側の突き当て部と係合してロック解除される、同じく不図示のロック機構を備えている。
【００４４】
続いて、現像剤容器２における現像剤収容部１６とハンドル１８、シャッター１９の詳細な関係について図７及び図８を用いて説明する。
［ハンドルと収容部との関係］
図７（ａ）は現像剤容器の装着位置、（ｂ）は前記シャッターの開位置を示す。ハンドル１８は、前記したように現像剤収容部１６にａ方向（ａ１，ａ２）に回転可能に嵌め合いされている。ここで、ハンドル１８の回動量は予め現像剤収容部１６に設けられた前記回動量規制部２１とハンドル１８に設けられた突き当てリブ３１によって図７（ａ）の位置から図７（ｂ）の位置に規制されている。
［シャッターと収容部との関係］
続いて、現像剤容器２における現像剤収容部１６とシャッター１９の詳細な関係について説明する。図８（ａ）はシャッター閉位置、図８（ｂ）はシャッター開位置を示す。
【００４５】
シャッター１９は、現像剤収容部１６に設けられたガイドレール２２に、シャッター１９に設けられたガイドリブ３３がガイドされることにより、前記補給口１７を図８に示すようにｂ１又はｂ２方向に開閉自在にスライド可能である。又、その際には画像形成装置に設けられた本体シャッター３６も一体化してスライドする。ここで、シャッター１９は、ガイドレール２２の片側先端が袋小路になっていることから、シャッターは閉位置よりもｂ１方向側には予めスライド不可となっている。即ち、図８（ａ）から図８（ｂ）の範囲でのスライド量に規制されている。
［画像形成装置本体容器装着部と現像剤容器との関係］
続いて、現像剤容器２と容器装着部２８との関係について図９を用いて説明する。
【００４６】
本発明の実施の形態での現像剤容器２を用いて現像剤を画像形成装置に供給するには、図９に示すように、現像剤容器２を容器装着部２８にＡ方向へ装着後、ハンドル１８をａ１方向に回転させ、得られた回転力をハンドル１８に設けられた駆動伝達ギア部３０から容器装着部２８に設けられた第１の駆動伝達ギア２９ａに伝達し、第１の駆動伝達ギア２９ａと第２の駆動伝達ギア２９ｂが連結しているため、第２の駆動伝達ギア２９ｂを介してシャッター１９の駆動受けギア部３２に駆動力が伝達され、シャッター１９をｂ２方向にスライドさせ、補給口１７を開封する（補給口を閉じる場合はハンドルがａ２方向、シャッターがｂ１方向へスライド）。
【００４７】
ここで、現像剤容器２を容器装着部２８に非装着時に、ハンドル１８がａ方向に回転自在であり、シャッター１９が補給口１７の開閉方向（ｂ１又はｂ２方向）に自在にスライド可能であると、先に示したハンドル１８に設けられた駆動伝達ギア部３０と第１の駆動伝達ギア２９ａ、シャッター１９に設けられた駆動受けギア部３２と第２の駆動伝達ギア２９ｂとの位置関係のズレを起こす恐れがある。
【００４８】
仮に前記したズレが起こると、ハンドル１８とシャッター１９に設けられた駆動ギア部は、補給口を開閉するに必要最低限の歯数を有するセグメントギアであるため、シャッター１９を補給口１７が十分に開くまでスライドさせることができなくなり、補給口１７を完全に開くことができない。その結果、画像形成装置本体が所望とする現像剤補給量を十分に補給できなくなり、画像の欠陥に影響を及ぼす等の問題が生ずる恐れがある。そのため、確実に補給口１７を開閉するためには、現像剤容器２を容器装着部２８に装着する際に、ハンドル１８とシャッター１９と容器装着部２８の駆動伝達ギア２９との位置関係をほぼ一定の位置関係に保つ必要があり、現像剤容器非装着時において、ハンドル１８のａ方向（ａ１又はａ２）回転を規制、シャッター１９のｂ方向（ｂ１又はｂ２）のスライドを規制しなければならない。
［ハンドル・シャッターロック機構］
前記したように、シャッター１９の開閉を確実に行うために、現像剤容器２の非装着時にはハンドル１８、シャッター１９にはそれぞれその位置を規制する規制手段を備える必要がある。ここで、ハンドルのロック機構について図１０及び図１１を用いて説明する。図１０に示したハンドル１８の形状は、本説明のために便宜的に加工したもので、その形状が何ら意味するものはない。
【００４９】
現像剤容器非装着時において、図１０に示すように、現像剤収容部に設けられた突起部２７ａと、ハンドル１８に設けられた回転止め部２５ａが係合関係にあり、ハンドルのａ１方向への回転を規制されている。又、現像剤収容部に設けられた突起部２７ｂと、ハンドル１８に設けられた回転止め部２５ｂが係合関係にあることでハンドルのａ２方向への回転が規制されている。即ち、ハンドル１８は、予め前記したようなハンドル回転規制機構によって現像剤容器非装着時の位置が決められている。
【００５０】
ここで、現像剤容器２が容器装着部２８に装着されると、図１１に示すように、ハンドル１８に設けられたロックアーム３４が画像形成装置に設けられた突き当て部３５に突き当たることで図中Ｘの方向に変位し、前記ハンドル１８の回転規制が解除され、ハンドル１８はａ方向に回転自在となる。
【００５１】
又、シャッター１９は、前記したように現像剤収容部１６に設けられたガイドレール２２の片側が袋小路になっているため、閉位置よりもｂ１方向には予めスライド不可に規制されている。又、非装着時において、非図示のロック機構によって予めｂ２方向にもスライド不可となっている。現像剤容器２を装着時には前記ロックが解除されてｂ２方向にスライド可能となる（図８参照）。
【００５２】
上記したように、現像剤容器２を非装着時にハンドル１８とシャッター１９の装着位置を予め固定しておくことでシャッター１９の開閉を確実に行うことができる。
【００５３】
しかしながら、上記の駆動力伝達経路において、高精度部品を用いずコストを掛けないで構成しようとした際に、ギア等のバックラッシュやその他の部位に駆動系のガタ及び歪みが生じてしまうことは避けがたい。つまり、ハンドル１８、シャッター１９の位置を上記ロック機構を用いて予め規制していても、ハンドル１８の入力ストロークに対する出力ストロークが１：１に対応せず、シャッター１９を開いてから再び閉じても、シャッター１９が元に戻らないことがある。
【００５４】
このような状態の現像剤容器を装置本体から抜き出し、そのまま再び装着してシャッター１９の開閉操作を行うと、シャッター１９が元に戻らない分が蓄積していき、戻らない量が増大していく。こうした不都合を防ぐために、本発明ではハンドル１８のシャッターの開閉動作回転可能量を０°〜１００°と設定し、装着位置を予め１０°回転させた位置に固定することでハンドル１８のシャッター開動作の回動量よりも閉動作の回動量を多くし、上記したハンドル１８の入力ストロークに対する出力ストロークの過不足分を補うように構成した。
【００５５】
更に、現像剤容器２の取り出し動作に伴ってハンドル１８がシャッターの閉動作終了位置（０°）から現像剤容器装着時のハンドル位置（１０°）に戻すための機構を設け、再びその現像剤容器２を装着する際には、予め１０°回転した位置にハンドル１８が確実に戻されているので上記の不都合を防ぐことができる。
【００５６】
以下に本発明の機構の詳細な説明をする。
［装着位置（予回動位置）戻し機構］
図１２〜図１５を用いて本発明の装着位置戻し機構について説明する。
【００５７】
先ず、本発明で用いるハンドル１８’、現像剤収容部１６’について図１２及び図１３を用いて説明する。ハンドル１８’は、ハンドル１８の機構の他に、現像剤収容部１６’に設けられた形状復帰力授与部２４と係合可能な弾性変形部２３を備えている。図１４（ａ）は装着位置、図１４（ｂ）はシャッターの開位置、図１４（ｃ）はシャッターの閉位置である。ハンドル１８’と現像剤収容部１６’は前記したハンドル１８と現像剤収容部１６との関係と同様に、現像剤収容部１８’に回転自在に嵌め合いされており、現像剤収容部が非装着時にはハンドル１８’の位置は現像剤収容部が有する回転規制突起２７ａ’，２７ｂ’によってａ方向の回転が規制されている。
【００５８】
ここで、現像剤容器２’を装着動作に伴って、ハンドル１８’に設けられたロックアーム３４’が本体側の突き当て部３５’に突き当たり、ハンドル１８’の回転規制が解除されａ方向に、図１４（ｂ）に示したシャッターの開位置まで回転可能となる（ハンドルの規制解除機構は図１１参照）。次に、現像剤容器を取り出す時には、先ず図１４（ｂ）の位置からａ２方向にハンドル１８’を回転させる。その際、シャッターを確実に閉じ切るには、ハンドル１８’はギア等のバックラッシュや現像剤容器を構成する部品のガタ等によって、図１４（ａ）に示す装着位置（１０°）から更に０〜１０°余分に回した位置まで回転させなければならない（ギアのバックラッシュやガタ等の影響度によって余分な回転角度はその都度異なる）。
【００５９】
又、前記形状復帰力授与部２４と前記弾性変形部２３は、図１４（ａ）と図１４（ｃ）の範囲（本発明では０〜１０°に設定）で係合する。この時のハンドル１８’と現像剤収容部１６’との関係を図１４（ａ）〜（ｃ）に対応した、ハンドル１８’の背面図、図１５（ａ）〜（ｃ）を用いて説明する。
【００６０】
ハンドル１８’に設けられた前記弾性変形部２３は、図１５（ｃ）に示すようにＹ方向に弾性変形し、その形状復帰力Ｆによってハンドル１８’はａ１方向に回転し装着位置に戻される。
【００６１】
しかしながら、現像剤容器装着時においては、ハンドル１８’に設けられた駆動伝達ギア部３０’と本体側の第１の駆動伝達ギア２９ａ’が係合、更にはシャッター１９’に設けられた駆動受けギア部３２’と第２の駆動伝達ギア２９ｂ’が係合しているため（図９参照）、ハンドルは前記形状復帰力Ｆによってａ１方向に回転し、図１４（ａ）に示す装着位置まで戻されることはない。
【００６２】
ここで、現像剤容器２’を画像形成装置本体から取り出し動作に伴って、前記ギアの係合関係が解除されるため、ハンドル１８’は前記形状復帰力によって装着位置に戻り、取り出し動作が終了した際には、ハンドル１８’のロックアーム３４’と本体側の突き当て部３５’との係合が解除され、再びハンドル１８’と現像剤収容部１６’は装着位置に規制される。つまり、再度その現像剤容器２を本体に装着し、シャッターを確実に開閉する事が可能となり、先に説明したギア等のバックラッシュや部品のガタ等によるハンドルの入力と出力のストロークに過不足が生じて、シャッター１９が閉まり切らないといった不都合を解消することが可能となる。
【００６３】
又、現像剤容器装着動作時にオペレーターが故意に、若しくは意図しないで前記ハンドル１８’の回転ロック機構を解除し、ハンドル１８’の位置がシャッターの閉操作方向ａ２に位置ズレした場合でも、図１５（ｃ）に示すように、ハンドル１８’に形状復帰力Ｆが作用するので、ハンドル１８’は装着位置まで戻り、誤った位置での現像剤容器の装着を未然に防ぐことができる。
【００６４】
更に、これまで説明したハンドル１８’の装着位置戻し機構をより確実にするために、以下のような形態を採っても良い。
［装着位置戻し機構２］
先述のように、現像剤容器を現像剤容器装着部から取り出す際に、ハンドル１８’は弾性部材の形状復帰力Ｆによって自立的に装着位置に戻される。そうした場合に、現像剤容器装着部に図１６に示すような傾斜を備えた突き当て突起３７を設け、現像剤容器の取り出し操作時（方向Ｂ）にハンドル１８’の下側（図中の斜線部）を、傾斜面に当てるようにする。そうすることで、前記弾性部材の形状復帰力Ｆに加えて、傾斜面に沿ってハンドル１８’がシャッターの閉操作回転方向ａ２へ戻ろうとする力Ｆ’がハンドル１８’に加わり、より確実にハンドルを装着位置まで戻すことが可能となる。
【図面の簡単な説明】
【００６５】
【図１】画像形成装置本体の概略図である。
【図２】ホッパーの概略図である。
【図３】現像剤補給容器（現像剤容器）の概略図である。
【図４】現像剤収容部の詳細図である。
【図５】ハンドルの詳細図である。
【図６】シャッターの詳細図である。
【図７】ハンドル開閉操作（（ａ）シャッター閉値、（ｂ）シャッター開）を示す図である。
【図８】シャッター開閉状態（（ａ）シャッター閉、（ｂ）シャッター開）を示す図である。
【図９】現像剤容器動作（（ａ）装着前、（ｂ）装着後）を示す図である。
【図１０】ハンドルロック機構を示す図である。
【図１１】ハンドルロック機構の解除を示す図である。
【図１２】現像剤収容部の詳細を示す図である。
【図１３】ハンドルの詳細を示す図である。
【図１４】ハンドル操作位置（（ａ）装着位置、（ｂ）シャッター開位置、（ｃ）シャッター閉位置）を示す図である。
【図１５】ハンドル背面状態（（ａ）装着位置、（ｂ）シャッター開位置、（ｃ）シャッター閉位置）を示す図である。
【図１６】本発明の別実施形態に係る現像剤補給容器の構成図である。
【図１７】従来の現像剤補給容器を示す図である。
【符号の説明】
【００６６】
１                感光ドラム
２                現像剤補給容器
３                ホッパー
４                現像ロータリー
５                現像器
６                中間転写ベルト
７                レジストローラ
８                転写部
９                定着器
１０            カセット
１１            マルチ手差し
１２            現像剤供給部
１３            現像剤補給部
１４            補給パイプ
１５            現像剤供給部
１６，１６’      現像剤収容部
１７            現像剤補給口
１８，１８’      ハンドル
１９            シャッター
２０            ハンドル嵌め合い部
２１            回動量規制部
２２，２２’      ガイドレール
２３            弾性変形部
２４            突き当て突起
２５ａ，２５ｂ  回転止め部
２６            操作ノブ
２７ａ，２７ｂ  回転規制突起
２８            現像剤容器装着部
２９ａ，２９ｂ  駆動伝達ギア
３０            駆動伝達ギア部
３１            突き当てリブ
３２            駆動受けギア部
３３            ガイドリブ
３４            ロックアーム
３５            ロックアーム突き当て部
３６            本体シャッター
３７            突き当て突起
１０１          突起部
１０２          カム状突起部
１０３          第１の駆動伝達ギア
１０４          駆動伝達部
１０５          ハンドル
１０６          現像剤容器
１０７          現像剤容器装着部
ａ１            ハンドルのシャッター開操作回転方向
ａ２            ハンドルのシャッター閉操作回転方向
ｂ１            シャッター閉方向
ｂ２            シャッター開方向
Ａ                現像剤容器装着方向
Ｂ                現像剤容器取り出し方向
Ｆ                ハンドルをシャッター開操作方向に装着位置まで戻す力
Ｘ                ロックアーム弾性変形方向
Ｙ                弾性変形方向
Ｚ              現像剤容器装着方向
【図１】
2007033783.tif 000003
【図２】
2007033783.tif 000004
【図３】
2007033783.tif 000005
【図４】
2007033783.tif 000006
【図５】
2007033783.tif 000007
【図６】
2007033783.tif 000008
【図７】
2007033783.tif 000009
【図８】
2007033783.tif 000010
【図９】
2007033783.tif 000011
【図１０】
2007033783.tif 000012
【図１１】
2007033783.tif 000013
【図１２】
2007033783.tif 000014
【図１３】
2007033783.tif 000015
【図１４】
2007033783.tif 000016
【図１５】
2007033783.tif 000017
【図１６】
2007033783.tif 000018
【図１７】
2007033783.tif 000019